(57)【要約】【課題】適切な光量の照明光を照射して被写体を撮像する。【解決手段】被写体を撮像する撮像装置であって、被写体を撮像する撮像部と、被写体に対して照明光を照射する発光部と、撮像した画像を外部のスクリーンに投映する投映部と、被写体の撮像時に、発光部または投映部から被写体に対して照明光を照射させる発光制御部と、を備え、発光制御部は、撮像条件、撮像モード、および撮像対象の少なくとも一つに応じて、投映部および発光部のいずれにより照明光を発光させるかを選択する撮像装置を提供する。【選択図】図２
2012220818.tif 000002
【特許請求の範囲】
【請求項１】
被写体を撮像する撮像装置であって、
被写体を撮像する撮像部と、
撮像した画像を外部のスクリーンに投映する投映部と、
被写体の撮像時に、前記投映部から被写体に対して照明光を照射させる発光制御部と、
を備える撮像装置。
【請求項２】
前記被写体に対して照明光を照射する発光部を更に備え、
前記発光制御部は、撮像条件、撮像モード、および撮像対象の少なくとも一つに応じて、前記投映部および前記発光部のいずれにより照明光を発光させるかを選択する
請求項１に記載の撮像装置。
【請求項３】
前記撮像部は、被写体の動画像および静止画像を撮像し、
前記発光制御部は、
動画像の撮像時に前記投映部から被写体に対して照明光を照射させ、
静止画像の撮像時に前記発光部から被写体に対して照明光を照射させる
請求項２に記載の撮像装置。
【請求項４】
前記発光制御部は、
当該撮像装置から被写体までの距離が基準距離より近い場合に前記投映部から照明光を発光させ、
当該撮像装置から被写体までの距離が基準距離より遠い場合に前記発光部から照明光を発光させる
請求項２または３に記載の撮像装置。
【請求項５】
前記発光制御部は、
被写体の明るさが基準の明るさ以上である場合に前記投映部から照明光を発光させ、
被写体の明るさが基準の明るさ未満である場合に前記発光部から照明光を発光させる
請求項２から４のいずれか１項に記載の撮像装置。
【請求項６】
前記撮像部が被写体の動画像を撮像する場合において、前記発光制御部は、動画像のフレーム撮像毎に前記投映部を発光させ、フレーム間において前記投映部の光量を下げる請求項１から５のいずれか１項に記載の撮像装置。
【請求項７】
前記撮像部が被写体の動画像を撮像する場合において、前記発光制御部は、当該撮像装置が省電力モードであることを条件として、動画像のフレーム撮像毎に前記投映部を発光させ、フレーム間において前記投映部の光量を下げる請求項６に記載の撮像装置。
【請求項８】
撮像条件、撮像モード、および撮像対象の少なくとも一つに応じて、前記投映部により被写体を照明するための照明画像を生成する生成部を更に備え、
前記発光制御部は、被写体の撮像時において前記投映部により照明光を発光させる場合に、被写体に対して前記照明画像を投影する
請求項１から７のいずれか１項に記載の撮像装置。
【請求項９】
外光の色調を検出する外光検出部を更に備え、
前記生成部は、前記外光の色調に応じて異なる色調の前記照明画像を生成する、
請求項８に記載の撮像装置。
【請求項１０】
前記生成部は、基準とする照明光の色調から外光の色調分を減じた色調の前記照明画像を生成する請求項９に記載の撮像装置。
【請求項１１】
前記生成部は、被写体において外光の影となっている部分をより明るく照らす前記照明画像を生成する請求項８から１０のいずれか１項に記載の撮像装置。
【請求項１２】
前記生成部は、被写体の形状に応じた照明分布を有する前記照明画像を生成する請求項８から１１のいずれか１項に記載の撮像装置。
【請求項１３】
被写体の撮像時に、前記投映部は、使用者により予め指定された画像を被写体に対して投影する請求項１から１２のいずれか１項に記載の撮像装置。
【請求項１４】
前記撮像部は、左右にずらして配置され、前記被写体を撮像する左眼用撮像部および右眼用撮像部を有する
請求項１から１３のいずれか１項に記載の撮像装置。
【発明の詳細な説明】
【技術分野】
【０００１】
本発明は、撮像装置に関する。
【背景技術】
【０００２】
撮像装置は、被写体から反射光の光量が少ない場合、ストロボを照射して被写体の静止画像を撮像する。これにより、撮像装置は、周囲が暗い環境下においても、十分な明るさの静止画像を撮像することができる。
【発明の概要】
【発明が解決しようとする課題】
【０００３】
ところで、ストロボは瞬間的に発光するので、撮像装置は、動画撮像においてストロボを発光させても、全撮像期間にわたって十分な明るさの動画像を撮像することはできなかった。また、ストロボは、光量を調整することも難しかった。また、ストロボは、一様な光を周囲に発光するものであり、特定のパターンの光を被写体に照射することができなかった。
【課題を解決するための手段】
【０００４】
上記課題を解決するために、本発明の第１の態様においては、被写体を撮像する撮像装置であって、被写体を撮像する撮像部と、撮像した画像を外部のスクリーンに投映する投映部と、被写体の撮像時に、前記投映部から被写体に対して照明光を照射させる発光制御部と、を備える撮像装置を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本発明の実施形態に係る撮像装置１０の外観を示す。
【図２】本発明の実施形態に係る撮像装置１０の機能構成を示す。
【図３】本発明の実施形態に係る撮像装置１０および投映部３０から外部のスクリーン５０に投映した画像の一例を示す。
【図４】本発明の実施形態に係る撮像装置１０における、発光部２８から照明光を発光して被写体を撮像している状態の一例を示す。
【図５】本発明の実施形態に係る撮像装置１０における、投映部３０から照明光を発光して被写体を撮像している状態の一例を示す。
【図６】本発明の実施形態の変形例に係る撮像装置１０の機能構成を示す。
【図７】本発明の実施形態の変形例に係る撮像装置１０における、投映部３０から照明画像を投映して被写体を撮像している状態の一例を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る撮像装置１０の外観を示す。図２は、本実施形態に係る撮像装置１０の機能構成を示す。
【０００９】
本実施形態に係る撮像装置１０は、被写体を撮像して、観視者に対して被写体を立体的に表示させるための３次元画像（左眼用の画像および右眼用の画像）を生成する。撮像装置１０は、静止画像を撮像してもよいし、動画像を撮像してもよい。撮像装置１０は、左眼用撮像部２２と、右眼用撮像部２４と、記録部２６と、発光部２８と、投映部３０と、発光制御部３２と、撮像指示部３４とを備える。
【００１０】
左眼用撮像部２２は、当該撮像装置１０の左右方向における左側の位置から被写体を撮像する。そして、左眼用撮像部２２は、撮像した画像を観視者の左眼に与えるための左眼用の画像として出力する。左眼用撮像部２２は、被写体の動画像および静止画像を撮像することができる。
【００１１】
右眼用撮像部２４は、当該撮像装置１０の左右方向における右側の位置から被写体を撮像する。そして、右眼用撮像部２４は、撮像した画像を観視者の右眼に与えるための右眼用の画像として出力する。右眼用撮像部２４は、被写体の動画像および静止画像を撮像することができる。
【００１２】
左眼用撮像部２２および右眼用撮像部２４は、筐体上におけるレンズ部分の位置が、予め定められた距離分（基線長分）左右にずらして配置される。この距離（基線長）は、左眼用の画像および右眼用の画像を表示した場合において、適切に立体視ができるような距離に設定される。例えば、基線長は、左眼用の画像および右眼用の画像を表示した場合において、観視者の輻輳角を±１．５度以下（好ましくは±１．０度以下）とすることができる長さに設定がされる。
【００１３】
記録部２６は、左眼用撮像部２２により撮像された左眼用の画像および右眼用撮像部２４により撮像された右眼用の画像を記録する。記録部２６は、一例として、半導体メモリ等に、左眼用の画像および右眼用の画像を記憶させる。
【００１４】
発光部２８は、被写体の撮像時において、被写体に対して照明光を照射する。発光部２８は、一例として、強い光を瞬時的に発光するストロボ（またはフラッシュ）である。
【００１５】
投映部３０は、撮像した画像を外部のスクリーンに投映する。投映部３０は、一例として、記録部２６に記録された画像を外部のスクリーンに投映する。投映部３０は、一例として、透過型の液晶パネルの背面側から光を照射して、液晶パネルに表示された画像をスクリーンに投映するプロジェクターである。
【００１６】
さらに、投映部３０は、被写体の撮像時において、被写体に照明光を照射する。投映部３０は、発光部２８ほど強い照明光を発光することはできないが、瞬時的ではなく連続して照明光を発光することができる。
【００１７】
発光制御部３２は、被写体の撮像時において、発光部２８または投映部３０から照明光を発光させるか否かを制御する。発光制御部３２は、一例として、ユーザによる設定に応じて、発光部２８または投映部３０から照明光を発光させるか否かを制御する。
【００１８】
さらに、発光制御部３２は、照明光を発光する場合において、発光部２８および投映部３０のいずれにより照明光を発光させるかを選択する。発光制御部３２は、一例として、撮像条件、撮像モード、および撮像対象の少なくとも一つに応じて、投映部３０および発光部２８のいずれにより照明光を発光させるかを選択する。
【００１９】
撮像指示部３４は、筐体における例えば上部に設けられる。撮像指示部３４は、ユーザにより撮像開始の操作がされると、左眼用撮像部２２および右眼用撮像部２４に撮像指示を与える。左眼用撮像部２２および右眼用撮像部２４は、撮像指示部３４から撮像指示が与えられたことに応じて、静止画像または動画像を撮像する。
【００２０】
さらに、撮像指示部３４は、ユーザにより操作がされると、発光部２８および投映部３０にも撮像指示を与える。発光部２８および投映部３０は、照明光を発光する場合であって且つ発光制御部３２により選択されている場合に、撮像指示部３４から撮像指示が与えられたことに応じて照明光を発光する。
【００２１】
このような撮像装置１０は、ユーザが撮像指示部３４を操作したことに応じて、被写体を立体的に表示するための左眼用の画像および右眼用の画像を撮像することができる。さらに、撮像装置１０は、撮像時において、発光部２８または投映部３０から照明光を発光することができる。
【００２２】
図３は、本実施形態に係る撮像装置１０および投映部３０から外部のスクリーン５０に投映した画像の一例を示す。撮像装置１０の投映部３０は、ユーザが投映開始の操作をしたことに応じて、撮像した画像を外部のスクリーン５０に投映する。これにより、撮像装置１０は、撮像した画像を拡大してユーザに表示することができる。また、投映部３０は、記録部２６に記録された画像であれば、他の撮像装置等により撮像された画像またはユーザにより生成された画像を外部のスクリーン５０に投映することができる。
【００２３】
図４は、本実施形態に係る撮像装置１０における、発光部２８から照明光を発光して被写体を撮像している状態の一例を示す。照明光を発光して撮像するモードに設定されている場合であって、且つ、発光制御部３２により発光部２８から照明光を発光させることが選択されている場合、撮像装置１０は、ユーザが撮像指示部３４を操作したことに応じて、発光部２８から強い照明光を瞬時的に発光して、被写体を撮像する。これにより、撮像装置１０は、周囲が暗い環境下においても、明るい画像を撮像することができる。
【００２４】
図５は、本実施形態に係る撮像装置１０における、投映部３０から照明光を発光して被写体を撮像している状態の一例を示す。照明光を発光して撮像するモードに設定されている場合であって、且つ、発光制御部３２により投映部３０から照明光を発光させることが選択されている場合、撮像装置１０は、ユーザが撮像指示部３４を操作したことに応じて、投映部３０から照明光を発光して、被写体を撮像する。これにより、撮像装置１０は、周囲が暗い環境下においても、明るい画像を撮像することができる。
【００２５】
ここで、投映部３０は、発光部２８ほど強い照明光を発光することはできないが、瞬時的ではなく連続して照明光を発光することができる。従って、発光制御部３２は、動画像の撮像時に投映部３０から被写体に対して照明光を照射させ、静止画像の撮像時に発光部２８から被写体に対して照明光を照射させてもよい。これにより、撮像装置１０は、静止画像の撮像時には被写体に対して強い照明光を発光するので、比較的に暗い被写体であっても明るく撮像することができる。そして、撮像装置１０は、動画像の撮像時には被写体に連続的に照明光を発光するので、長期間にわたり光量が安定した明るい動画像を撮像することができる。
【００２６】
また、発光制御部３２は、当該撮像装置１０から被写体までの距離が基準距離より近い場合に投映部３０から照明光を発光させ、当該撮像装置１０から被写体までの距離が基準距離より遠い場合に発光部２８から照明光を発光させてもよい。これにより、撮像装置１０は、基準距離より近い被写体に対しては比較的に弱い照明光を発光するので、適切な明るさの画像を撮像することができる。さらに、撮像装置１０は、基準距離より遠い被写体に対しては比較的に強い照明光を発光するので、より遠くの被写体も明るく撮像することができる。
【００２７】
また、発光制御部３２は、被写体の明るさが基準の明るさ以上である場合に投映部３０から照明光を発光させ、被写体の明るさが基準の明るさ未満である場合に発光部２８から照明光を発光させてもよい。これにより、撮像装置１０は、明るさが基準の明るさ以上である被写体に対しては比較的に弱い照明光を発光するので、明るすぎない適切な光量の画像を撮像することができる。さらに、撮像装置１０は、明るさが基準の明るさ未満である被写体に対しては比較的に強い照明光を発光するので、被写体を十分に明るく撮像することができる。
【００２８】
また、被写体の動画像を撮像する場合において、発光制御部３２は、動画像のフレーム撮像毎に投映部３０を発光させ、フレーム間において投映部３０の光量を下げてもよい。この場合において、発光制御部３２は、フレーム間において、投映部３０の光量を０とする、即ち、投映部３０から照明光を発光させなくてもよい。これにより、撮像装置１０は、それぞれのフレームを撮像する毎に十分な光量の照明光を被写体に照射するので、明るい動画像を撮像することができる。これとともに、撮像装置１０は、フレーム間において光量を下げるので消費電力を小さくすることができる。
【００２９】
また、被写体の動画像を撮像する場合において、発光制御部３２は、当該撮像装置１０が省電力モードであることを条件として、動画像のフレーム撮像毎に投映部３０を発光させ、フレーム間において投映部３０の光量を下げてもよい。これにより、撮像装置１０は、少ない電力消費量で被写体を撮像するか、安定した明るさで被写体を撮像するかを、設定に応じて切り替えることができる。
【００３０】
以上のように、本実施形態に係る撮像装置１０は、撮像する画像の種類、外部の環境および動作モード等に応じて、適切な光量の照明光を被写体に発光して画像を撮像することができる。
【００３１】
図６は、本実施形態の変形例に係る撮像装置１０の機能構成を示す。本変形例に係る撮像装置１０は、図１から図５を参照して説明した本実施形態に係る撮像装置１０と略同一の構成および機能を採るので、本実施形態に係る撮像装置１０が備える部材と略同一の構成および機能の部材に同一の符号を付け、以下相違点を除き説明を省略する。
【００３２】
本変形例に係る撮像装置１０は、外光検出部６２と、生成部６４とを更に備える。外光検出部６２は、外光の色調を検出する。生成部６４は、撮像条件、撮像モード、および撮像対象の少なくとも一つに応じて、投映部３０により被写体を照明するための照明画像を生成する。生成部６４は、一例として、外光の色調に応じて異なる色調の照明画像を生成する。
【００３３】
発光制御部３２は、被写体の撮像時において投映部３０により照明光を発光させる場合に、被写体に対して生成部６４により生成された照明画像を投影させる。
【００３４】
図７は、本変形例に係る撮像装置１０における、投映部３０から照明画像を投映して被写体を撮像している状態の一例を示す。本変形例においては、発光制御部３２により投映部３０から照明光を発光させることが選択されている場合、撮像装置１０は、ユーザが撮像指示部３４を操作したことに応じて、投映部３０から照明画像を投影して、被写体を撮像する。これにより、撮像装置１０は、ユーザが指定したパターンの照明光を被写体に照射して、被写体を撮像することができる。
【００３５】
この場合において、生成部６４は、外光検出部６２により検出された外光の色調に基づいて、基準とする照明光の色調から外光の色調分を減じた色調の照明画像を生成してもよい。これにより、撮像装置１０は、被写体の色を正確に表示した画像を撮像することができる。
【００３６】
また、生成部６４は、ユーザ等の設定に応じて、予め定められた色を強調する色調の照明画像を生成してもよい。生成部６４は、一例として、被写体が人物の場合、肌色を強調する照明画像を生成する。これにより、撮像装置１０は、ユーザ等の設定に応じた色調が強調された画像を撮像することができる。
【００３７】
また、生成部６４は、撮像領域の暗部に対して強い光を照射し、明部に対しては弱い光を照射または光を照射してもよい。生成部６４は、一例として、被写体において外光の影となっている部分をより明るく照らす照明画像を生成する。これにより、撮像装置１０は、撮像領域の全体を均一な明るさで撮像することができる。
【００３８】
また、生成部６４は、被写体の形状に応じた照明分布を有する照明画像を生成してもよい。生成部６４は、一例として、主要被写体を含む領域に対して強い光を照射し、主要被写体以外の領域に弱い光を照射または光を照射しない。これにより、生成部６４は、主要な被写体を強調した画像を撮像することができる。
【００３９】
また、生成部６４は、被写体の撮像時に、投映部３０は、使用者により予め指定された画像を被写体に対して投影してもよい。生成部６４は、一例として、被写体が人物の場合被写体の服に花等のマークを投影したり、無模様の被写体の表面に指定されたパターンの模様を投影したりしてもよい。これにより、撮像装置１０は、被写体に対して指定されたパターンを合成した画像を撮像することができる。
【００４０】
また、生成部６４は、動画像を撮像する場合において、照射画像を変化させてもよい。これにより、撮像装置１０は、被写体の移動および状況の変化に応じた適切な照明光を照射することができる。
【００４１】
以上のように、本変形例に係る撮像装置１０は、撮像条件、撮像モード、および撮像対象の少なくとも１つに応じて、適切なパターンの照明光を被写体に発光して画像を撮像することができる。
【００４２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４４】
１０  撮像装置
２２  左眼用撮像部
２４  右眼用撮像部
２６  記録部
２８  発光部
３０  投映部
３２  発光制御部
３４  撮像指示部
５０  スクリーン
６２  外光検出部
６４  生成部
【図１】
2012220818.tif 000003
【図２】
2012220818.tif 000004
【図３】
2012220818.tif 000005
【図４】
2012220818.tif 000006
【図５】
2012220818.tif 000007
【図６】
2012220818.tif 000008
【図７】
2012220818.tif 000009